(57)【要約】【課題】電動送風機を使用せず比較的静かな状態で掃除を行うことができるようにする。【解決手段】第一集塵部２及び電動送風機３を備える電気掃除機本体５を支持体７の収納部６に着脱可能に収納し、横長吸込口１８を含む前記吸引路１６と、前記横長吸込口１８の二次側に設けられた回転ブラシ２４と、その二次側に設けられた第二集塵部３３とを有するノズルヘッド１９を前記支持体７の一端側に設け、前記吸込口１と吸引路１６の二次側とを接続可能とし、前記支持体７の他端側に第二把持部２２を設けたことで、前記電気掃除機本体５を前記支持体７の収納部６に収納した状態でスティック型吸引掃除機として使用することも、前記電気掃除機本体５を手持ち型吸引掃除機として使用することも、前記回転ブラシ２４の回転で掻き上げた塵埃を前記第二集塵部３３に溜める非吸引掃除機として使用することもでき、前記支持体７単体でも使用できる。【選択図】図１
2008178615.tif 000002
【特許請求の範囲】
【請求項１】
一端部に吸込口が形成されると共に第一集塵部及び電動送風機を備えて構成される電気掃除機本体と、この電気掃除機本体の吸込口に接続されたノズルヘッドとを有し、このノズルヘッドに左右方向に長い横長吸込口を設けると共に、この横長吸込口と接続可能な吸引路を前記吸込口を介して前記第一集塵部に連通させるように構成した電気掃除機において、
前記横長吸込口の二次側に回転ブラシを設けると共に、この回転ブラシの二次側に連通して第二集塵部を前記ノズルヘッドに設けたことを特徴とする電気掃除機。
【請求項２】
一端部に吸込口が形成されると共に第一集塵部及び電動送風機を備えて構成される電気掃除機本体と、
この電気掃除機本体を着脱可能に収納する収納部を有する支持体とを備え、
この支持体が、その一端側にノズルヘッドを有すると共にその他端側に把持部を有し、前記ノズルヘッドに左右方向に長い横長吸込口を設けると共に、この横長吸込口と接続可能な吸引路を前記掃除機本体の収納時に前記吸込口に連通するように構成した電気掃除機において、
前記横長吸込口の二次側に回転ブラシを設けると共に、この回転ブラシの二次側に連通して第二集塵部を前記支持体に設けたことを特徴とする電気掃除機。
【請求項３】
前記第二集塵部が前記吸引路の途中に設けられたことを特徴とする請求項２記載の電気掃除機。
【請求項４】
前記第二集塵部が前記回転ブラシに開口部を対向して前記ノズルヘッドに設けられたことを特徴とする請求項２又は３記載の電気掃除機。
【請求項５】
前記回転ブラシに電動機が接続していることを特徴とする請求項１〜４のいずれか１項に記載の電気掃除機。
【請求項６】
前記第一集塵部が、前記電気掃除機本体の機枠ケースの前面側に着脱自在に設けられることを特徴とする請求項１〜５のいずれか１項に記載の電気掃除機。
【発明の詳細な説明】
【技術分野】
【０００１】
本発明は、電気掃除機に関するものである。
【背景技術】
【０００２】
従来、この種の電気掃除機として、吸込口及びフィルターを有する集塵部を有し電動送風機を内蔵する掃除機本体と、この掃除機本体が収納される支持体とを有し、この支持体が、一端側にノズルヘッドを有し、他端側に把持部を有すると共に、前記掃除機本体を収納する収納部を有し、前記掃除機本体の収納時に前記ノズルヘッドが吸込口を介して前記集塵部に連通されるように構成され、前記掃除機本体を単独或いは前記支持体に収容して使い、前記吸込口或いはノズルヘッドから吸い込んだ塵埃を前記フィルターによって集塵部内に溜めるものが知られている（例えば特許文献１、２）。
【特許文献１】特許第２６２７２７５号公報
【特許文献２】特開平４−３６４８２２号公報
【発明の開示】
【発明が解決しようとする課題】
【０００３】
従来の電気掃除機においては、ファンと電動機からなる電動送風機を作動させる場合、前記電動機の容量が比較的大きいため、吸気音が比較的大きくなってしまうので、例えば深夜等に掃除機を使用すると騒音になってしまうという虞がある。
【０００４】
更に、前述した従来技術のような分離型の電気掃除機においては、前記掃除機本体を手持ち型の掃除機として単独で使用したり、或いは前記掃除機本体を前記支持体の収納部に収納した状態で前記把持部を把持し、スティック型の掃除機として前記ノズルヘッドから塵埃を吸引するようにして使用したりするものであるが、前記掃除機本体を前述したスティック型の掃除機として使用する際のベースとなる前記支持体は、単独では使用できず、前記掃除機本体をスティック型の掃除機として使用するための付属品として利用するのみであったので、前記支持体を付属品として使用する以上に有効利用することができなかった。
【０００５】
本発明は以上の問題点を解決し、ノズルヘッド或いは分離型の電気掃除機における支持体を掃除機本体とは独立して且つ比較的静かな状態で清掃に用いることができる電気掃除機を提供することを目的とする。
【課題を解決するための手段】
【０００６】
請求項１の発明は、一端部に吸込口が形成されると共に第一集塵部及び電動送風機を備えて構成される電気掃除機本体と、この電気掃除機本体の吸込口に接続されたノズルヘッドとを有し、このノズルヘッドに左右方向に長い横長吸込口を設けると共に、この横長吸込口と接続可能な吸引路を前記吸込口を介して前記第一集塵部に連通させるように構成した電気掃除機において、前記横長吸込口の二次側に回転ブラシを設けると共に、この回転ブラシの二次側に連通して第二集塵部を前記ノズルヘッドに設けたことを特徴とする電気掃除機である。
【０００７】
請求項２の発明は、一端部に吸込口が形成されると共に第一集塵部及び電動送風機を備えて構成される電気掃除機本体と、この電気掃除機本体を着脱可能に収納する収納部を有する支持体とを備え、この支持体が、その一端側にノズルヘッドを有すると共にその他端側に把持部を有し、前記ノズルヘッドに左右方向に長い横長吸込口を設けると共に、この横長吸込口と接続可能な吸引路を前記掃除機本体の収納時に前記吸込口に連通するように構成した電気掃除機において、前記横長吸込口の二次側に回転ブラシを設けると共に、この回転ブラシの二次側に連通して第二集塵部を前記支持体に設けたことを特徴とする電気掃除機である。
【０００８】
請求項３の発明は、前記第二集塵部が前記吸引路の途中に設けられたことを特徴とする請求項２記載の電気掃除機である。
【０００９】
請求項４の発明は、前記第二集塵部が前記回転ブラシに開口部を対向して前記ノズルヘッドに設けられたことを特徴とする請求項２又は３記載の電気掃除機である。
【００１０】
請求項５の発明は、前記回転ブラシに電動機が接続していることを特徴とする請求項１〜４のいずれか１項に記載の電気掃除機である。
【００１１】
請求項６の発明は、前記第一集塵部が、前記電気掃除機本体の機枠ケースの前面側に着脱自在に設けられることを特徴とする請求項１〜５のいずれか１項に記載の電気掃除機である。
【発明の効果】
【００１２】
請求項１の発明によれば、前記掃除機本体の電動送風機を作動させることで、前記ノズルヘッドの横長吸込口から塵埃を含む気流が吸引され、この気流が前記吸引路と吸込口を経て前記第一集塵部に至り、この第一集塵部において塵埃が濾過されて溜められる。一方、前記電動送風機を作動させず、前記ノズルヘッドの回転ブラシのみを回転させて、床上の塵埃を前記回転ブラシの回転力によって前記第二集塵部に送って溜めることで、静かに掃除を行うことができる。
【００１３】
請求項２の発明によれば、前記掃除機本体を前記支持体の収納部に収納した状態で前記掃除機本体の電動送風機を作動させることで、前記ノズルヘッドの横長吸込口から塵埃を含む気流が吸引され、この気流が前記吸引路と吸込口を経て前記第一集塵部に至り、この第一集塵部において塵埃が濾過されて溜められる。また、前記掃除機本体を前記支持体の収納部から取り出すことで、手持ち型の掃除機として使用することもできる。更に、前記掃除機本体が取り外された状態の、或いは前記掃除機本体が作動していない状態の前記支持体の把持部を把持し、前記ノズルヘッドの回転ブラシを回転させて、床上の塵埃を前記回転ブラシの回転力によって前記第二集塵部に送って溜めることで、静かに掃除を行うことができる。
【００１４】
請求項３の発明によれば、横長吸込口から吸引された塵埃のうち、前記横長吸込口から離れた位置にある第一集塵部まで吸引することができないような重い塵埃を、前記ノズルヘッドに設けられた、即ち前記横長吸込口に近接した第二集塵部に溜めることができるので、塵埃の軽重に拘わらず塵埃を何れかの集塵部に確実に溜めることができる。
【００１５】
請求項４の発明によれば、前記回転ブラシの回転力により掻き出された塵埃が前記開口部から前記第二集塵部に送られて確実に溜めることができる。
【００１６】
請求項５の発明によれば、前記掃除機本体に由来する動力等によらず、前記支持体のノズルヘッドに設けられた前記回転ブラシを単独で回転させることで、前記支持体のみを用いた掃除を行うことができる。
【００１７】
請求項６の発明によれば、前記掃除機本体全体を前記収納部から取り外すことなく、前記第一集塵部のみを取り外して、この第一集塵部に溜まった塵埃を簡単に廃棄することができる。
【発明を実施するための最良の形態】
【００１８】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１９】
図１〜図４は実施例１を示している。分離型に構成された本願の電気掃除機は、一端部（図１及び図３においては下部）に吸込口１が形成されると共に第一集塵部２が着脱自在に取り付けられ、更に電動送風器３及び第一充電池４が内蔵された充電式の電気掃除機本体５と、この掃除機本体５を着脱可能に収納する凹状の収納部６を有する支持体７とを備えている。
【００２０】
前記電気掃除機本体は機枠ケース８を有し、この機枠ケース８に対して前記第一集塵部２が着脱自在に取り付けられ、更に、前記機枠ケース８の他端部に第一把持部９が設けられている。なお、前記第一集塵部２は、図１〜図３の姿勢では、前記機枠ケース８の正面側に設けられれる。そして、前記機枠ケース８の内部には、前記電動送風器３及び第一充電池４が収容されている。なお、前記電動送風機３は、ファン１０と、このファン１０を回転させるための第一電動機１１を有して構成される。また、前記第一充電池４は、前記第一電動機１１の動力源である。更に、前記機枠ケース８の前記第一把持部９の近傍には、前記第一電動機１１を作動させるための第一スイッチ１２が設けられている。
【００２１】
前記第一集塵部２の先端側には、前記吸込口１に連通可能な吸引側連通口１３が設けられている。また、前記第一集塵部２の基端側には、フィルタ１４が取り付けられた排気側連通口１５が設けられると共に、この排気側連通口１５の外側に臨んで前記ファン１０が設けられている。なお、１５Ａは前記電動送風機３が形成した気流を前記電気掃除機本体の機枠ケース８外に排出するための排気孔である。
【００２２】
前記支持体７は、前記電気掃除機本体をスティック型掃除機として使用する際のベースとなるように、縦長形状に構成されている。そして、前記支持体７は、その本体７Ａの一端寄りに前記収納部６が凹所状に形成されていると共に、この収納部６の一端側には、空気の吸引路１６の二次側１６Ｂを形成する接続口１７が設けられている。なお、この接続口１７は、前記吸込口１に接続されて連通可能に構成されている。そして、前記支持体７の本体７Ａの一端側（図１〜図３における下端側）には、横長吸込口１８が設けられたノズルヘッド１９がパイプ継ぎ手２０を介して接続されている。また、前記支持体７の本体７Ａの他端側（図１〜図３における上端側）には、腕部２１を介して第二把持部２２が一体的に設けられる。なお、前記パイプ継ぎ手２０は、前記吸引路１６の一部を形成する。
【００２３】
前記ノズルヘッド１９は、平面視がほぼ矩形状であると共に偏平な箱型のヘッドケース２３の下面前部に、前記横長吸込口１８が左右方向に長く開口して設けられている。そして、この横長吸込口１８が前記吸引路１６の一次側１６Ａを構成すると共に、前記吸引路１６の二次側１６Ｂが前記吸込口１に連通するようになっている。また、前記横長吸込口１８の後方には、この横長吸込口１８に臨んで回転ブラシ２４が設けられる。この回転ブラシ２４は、その回転軸２５の軸心２５Ａが左右方向を向くと共に、前記回転軸２５の左右両端部が前記ヘッドケース２３の左右側で回転可能に支持される。また、前記回転ブラシ２４は、その回転軸２５の周面に毛２６を螺旋状に植設したり、軟質合成樹脂等からなるブレード２７を螺旋状に固定したりして構成される。更に、前記ヘッドケース２３内には、第二電動機２８が内蔵されており、この第二電動機２８の駆動軸が、図示しないベルトや歯車等の適宜伝動機構によって、前記回転軸２５と接続されている。そして、前記回転ブラシ２４に設けられた毛２６やブレード２７は、図示しない床面に接地可能であると共に、この床面と接する側の前記毛２６やブレード２７が、前方から後方に向かって移動するように、即ち、図１及び図３において左回りに、前記回転ブラシ２４は回転する。
また、前記ヘッドケース２３の内部には、前記第二電動機２８の駆動源となる第二充電池２９が収容されていると共に、この第二充電池２９により前記第二電動機２８を作動させるための第二スイッチ３０が前記第二把持部２２に設けられている。
【００２４】
前記ヘッドケース２３内における前記回転ブラシ２４の後方には、導入口３１及び取付凹部３２が設けられる。そして、この取付凹部３２には、中空な箱形状に形成された第二集塵部３３が着脱自在に取り付けられる。そして、この第二集塵部３３の下流側に横向き経路３４が連通し、この横向き経路３４の下流側と、前記パイプ継ぎ手２０の上流側とが回動自在に接続することで、前記ノズルヘッド１９に対して前記支持体７の本体７Ａを起伏自在に回動させることができるようになっている。
【００２５】
なお、前記第二集塵部３３の前面には、この第二集塵部３３が前記取付凹部３２に取り付けられた状態で前記導入口３１に臨む開口部３５が設けられると共に、この開口部３５に、図示しない導入孔が高所に設けられた蓋体３６が着脱自在に取り付けられる。また、前記第二集塵部３３の後面には、図示しないフィルタが設けられると共に、前記横向き経路３４の上流側と接続連通可能な接続口３７が設けられている。なお、この接続口３７に設けられるフィルタは、前記フィルタ１４よりも荒目に設定されている。また、前記開口部３５の開口面積よりも、前記前記接続口３７及び横向き経路３４の通路面積は小さく絞り込まれるように形成されている。なお、図中３８は前記ノズルヘッド１９の後部左右に設けた車輪である。
【００２６】
以上の構成を有する電気掃除機において、テーブルや机の天板上等を掃除するために、前記支持体７から前記電気掃除機本体５を分離して、この電気掃除機本体を使用する場合、使用者は、前記機枠ケース８の他端部に設けられた前記第一把持部９を握って前記電気掃除機本体を持つ。そして、使用者が前記第一スイッチ１２を操作することで、前記第一充電池４からの電力によって前記第一電動機１１が作動して前記ファン１０が回転し、これによって、前記吸込口１から吸入されて前記第一集塵部２及び前記電動送風機３を通過し前記排気孔１５Ａから排出される吸込気流が発生する。このように、前記電動送風機３が作動した状態で前記吸込口１を被清掃面に近付け、この被清掃面に沿って前記吸込口１が動くように前記電気掃除機本体を移動させることで、塵埃を含んだ吸込気流が前記吸込口１から前記吸引側連通口１３を通って前記第一集塵部２内に入る。そして、吸込気流中の塵埃は、前記フィルタ１４によって捕捉されて、前記第一集塵部２内に溜められる。一方、前記フィルタ１４を通過して塵埃が取り除かれた吸込気流は、前記排気側連通口１５から前記電動送風機３を経て排気孔１５Ａから外部に排出される。そして、前記第一集塵部２内に溜まった塵埃は、前記機枠ケース８から前記第一集塵部２を取り外し、この第一集塵部２から前記フィルタ１４を取り外して前記第一集塵部２を開放することで、この第一集塵部２から廃棄可能となる。
【００２７】
一方、床面等を掃除するために、前記支持体７に前記電気掃除機本体５を取り付けた状態で使用する場合、使用者は、前記支持体７の前記接続口１７に前記電気掃除機本体の吸込口１が接続されるよう前記支持体７の収納部６に前記電気掃除機本体を収納すると共に、前記ノズルヘッド１９の取付凹部３２に前記第二集塵部３３を取り付け、前記支持体７の本体７Ａの他端側に設けられた前記第二把持部２２を持ち、前記支持体７の本体７Ａの一端側に設けられた前記ノズルヘッド１９を被清掃面上に置く。そして、使用者が前記第二スイッチ３０を操作することで、前記第一充電池４からの電力によって前記第一電動機１１が作動して前記ファン１０が回転すると共に、前記第二充電池２９からの電力によって前記第二電動機２８が作動して前記回転ブラシ２４が回転する。これによって、前記回転ブラシ２４の毛２６やブレード２７が被清掃面上の塵埃を掻き上げると共に、前記横長吸込口１８から吸入されて、導入口３１、第二集塵部３３、前記横向き経路３４、パイプ継ぎ手２０、吸込口１、前記第一集塵部２及び前記電動送風機３を通過し前記排気孔１５Ａから排出される吸込気流が発生する。なお、前記回転ブラシ２４によって掻き上げられた塵埃は、前記吸込気流に乗って吸引される。このように、前記電動送風機３及び回転ブラシ２４が作動した状態で、被清掃面に沿って前記ノズルヘッド１９を移動させることで、前記回転ブラシ２４が被清掃面上の塵埃を掻き上げると共に、塵埃を含んだ吸込気流が、前記横長吸込口１８から前記導入口３１、第二集塵部３３、前記横向き経路３４、パイプ継ぎ手２０、吸込口１、吸引側連通口１３を通って前記第一集塵部２内に入る。この際、吸込気流中の比較的粗い塵埃や重い塵埃は、前記第二集塵部３３内の図示しない荒目のフィルタによって補足されて前記第二集塵部３３内に溜められる。一方、前記荒目のフィルタを通過した細かい塵埃は、前記第一集塵部２内で細目の前記フィルタ１４によって捕捉されて、前記第一集塵部２内に溜められる。そして、前記フィルタ１４を通過して塵埃が取り除かれた吸込気流は、前記排気側連通口１５から前記電動送風機３を経て、前記支持体７の本体７Ａの後方に露出した前記排気孔１５Ａから外部に排出される。そして、前記第一集塵部２内に溜まった塵埃は、前記電気掃除機本体を前記支持体７の収納部６に収納したままの状態で、前記機枠ケース８から前記第一集塵部２を取り外し、この第一集塵部２から前記フィルタ１４を取り外して前記第一集塵部２を開放することで、この第一集塵部２から廃棄可能となる。また、前記第二集塵部３３内に溜まった塵埃は、前記ノズルヘッド１９の取付凹部３２から前記第二集塵部３３を取り外し、この第二集塵部３３の開口部３５から前記蓋体３６を取り外して前記第二集塵部３３を開放することで、この第二集塵部３３から排気可能となる。
【００２８】
更に、前記電動送風器３を作動させずに静かに掃除する場合、使用者は、前記支持体７に前記電気掃除機本体を取り付けた状態のまま、或いは前記支持体７から前記電気掃除機本体を取り外した状態で、前記ノズルヘッド１９の取付凹部３２に前記第二集塵部３３を取り付け、前記第二把持部２２を持つと共に、前記ノズルヘッド１９を被清掃面上に置く。そして、使用者が前記第二スイッチ３０を操作することで、前記第二充電池２９からの電力によって前記第二電動機２８が作動して前記回転ブラシ２４が回転する。これによって、前記回転ブラシ２４の毛２６やブレード２７が被清掃面上の塵埃を掻き上げる。このように、前記回転ブラシ２４が作動した状態で、被清掃面に沿って前記ノズルヘッド１９を移動させることで、前記回転ブラシ２４が被清掃面上の塵埃を掻き上げ、この掻き上げられた塵埃が、前記導入口３１から、前記蓋体３６の高所に設けられた図示しない導入孔を経て、前記第二集塵部３３内に溜められる。この場合、この第二集塵部３３に送られた塵埃は、前記電動送風機３によって吸引されていないので、細かくても荒目の前記フィルタを通過せず、ほぼ全て前記第二集塵部３３内に溜められる。また、この第二集塵部３３の開口部３５に取り付けられた前記蓋体３６の高所に設けられた図示しない導入孔から前記第二集塵部３３内に塵埃が送られるので、塵埃は前記第二集塵部３３内における前記導入孔よりも低い位置に溜められる。このように、前記電動送風機３を作動させず、前記第二電動機２８のみを用いて前記回転ブラシ２４を回転させることで、騒音の原因となる風切り音を発生させないようにすることができる。なお、前記支持体７から前記電気掃除機本体を取り外した状態で使用する場合、取り外された前記電気掃除機本体を一の使用者が使用して掃除する間に、前記支持体７を他の使用者が使用して掃除することもできる。そして、前記第二集塵部３３内に溜まった塵埃は、前記ノズルヘッド１９の取付凹部３２から前記第二集塵部３３を取り外し、この第二集塵部３３の開口部３５から前記蓋体３６を取り外して前記第二集塵部３３を開放することで、この第二集塵部３３から排気可能となる。
【００２９】
以上のように、前記実施例においては、第一集塵部２及び電動送風機３を備えて構成される電気掃除機本体５の一端部に形成された吸込口１に、左右方向に長い横長吸込口１８を含む前記吸引路１６と、前記横長吸込口１８の二次側に設けられた回転ブラシ２４と、この回転ブラシ２４の二次側に連通して設けられた第二集塵部３３とを有するノズルヘッド１９を接続し、前記吸引路１６と吸込口１を連通させることで、前記電気掃除機本体５の電動送風機３を作動させて、強力な吸引掃除機として使用することも、前記ノズルヘッド１９の回転ブラシ２４のみを回転させて、静かな非吸引掃除機として使用することもできる。
【００３０】
また、前記実施例においては、第一集塵部２及び電動送風機３を備えて構成される電気掃除機本体５を支持体７の収納部６に着脱可能に収納し、左右方向に長い横長吸込口１８を含む前記吸引路１６と、前記横長吸込口１８の二次側に設けられた回転ブラシ２４と、この回転ブラシ２４の二次側に連通して設けられた第二集塵部３３とを有するノズルヘッド１９を前記支持体７の一端側に設け、前記吸込口１と吸引路１６の二次側とを接続可能とし、前記支持体７の他端側に第二把持部２２を設けたことで、前記電気掃除機本体５を前記支持体７の収納部６に収納した状態でスティック型の吸引掃除機として使用することも、前記電気掃除機本体５を前記支持体７の収納部６から取り出して手持ち型の吸引掃除機として使用することも、前記ノズルヘッド１９の回転ブラシ２４のみを回転させて、前記回転ブラシ２４が掻き上げた塵埃を前記第二集塵部３３に溜める静かな非吸引掃除機として使用することもでき、更に、前記電気掃除機本体５を取り外した状態の前記支持体７単体によっても掃除を行うことができる等、多様な方法で掃除を行うことができる。
【００３１】
また、前記吸引路１６の途中に前記第二集塵部３３を設けたことで、前記横長吸込口１８から吸引された塵埃のうち、前記横長吸込口１８から離れた前記第一集塵部２まで吸引することが困難な重い塵埃でも、前記横長吸込口１８に近接した前記第二集塵部３３に溜めることができるので、塵埃の軽重に拘わらず塵埃を何れかの集塵部に確実に溜めることができる。
【００３２】
また、前記第二集塵部３３の開口部３５が前記回転ブラシ２４に対向して前記ノズルヘッド１９に設けられたことにより、前記回転ブラシ２４の回転力により掻き出された塵埃を前記開口部３５から前記第二集塵部３３に送って確実に溜めることができる。
【００３３】
また、前記回転ブラシ２４に第二電動機２８を接続することで、前記電気掃除機本体５に由来する動力等によらず、前記支持体７のノズルヘッド１９に設けられた前記回転ブラシ２４を単独で回転させることで、前記支持体７のみを用いた掃除を行うことができる。
【００３４】
しかも、前記第一集塵部２が、前記電気掃除機本体５の機枠ケース８の前面側に着脱自在に設けられるので、前記電気掃除機本体５全体を前記収納部６から取り外すことなく、前記第一集塵部２のみを取り外して、この第一集塵部２に溜まった塵埃を簡単に廃棄することができる。
【産業上の利用可能性】
【００３５】
以上のように、本発明に係る電気掃除機は、各種の用途に適用できる。例えば、上記実施例では、分離型の電気掃除機を例に挙げて説明したが、分離型以外の電気掃除機のノズルヘッドに回転ブラシと第二集塵部を設け、電動送風機を作動させずに前記回転ブラシのみを作動させることができるように構成してもよい。また、上記実施例では、何れの電動機も充電池によって駆動できるようにしたが、前記各電動機の電源は交流電源であってもよい。また、上記実施例では、前記回転ブラシは第二電動機により回転駆動されるが、前記ノズルヘッドを被清掃面に沿って動かすことで回転する回転体の回転力を前記回転ブラシに伝達するようにしてもよい。更に、上記実施例では、前記第二スイッチは、何れの電動機も作動、何れの電動機も停止、第二電動機のみ作動の３ポジションスイッチであるが、何れの電動機も作動、何れの電動機も停止、何れかの電動機が作動の４ポジションスイッチであってもよい。
【図面の簡単な説明】
【００３６】
【図１】本発明の実施例１を示す側面図である。
【図２】本発明の実施例１を示す正面図である。
【図３】本発明の実施例１を示す分解側面図である。
【図４】本発明の実施例１を示すノズルヘッドの底面図である。
【符号の説明】
【００３７】
２  第一集塵部
３  電動送風機
５  電気掃除機本体
６  収納部
７  支持体
１６  吸引路
１８  横長吸込
１９  ノズルヘッド
２４  回転ブラシ
２８  第二の電動機
３２  第二集塵部
【図１】
2008178615.tif 000003
【図２】
2008178615.tif 000004
【図３】
2008178615.tif 000005
【図４】
2008178615.tif 000006